(57)【要約】      （修正有）【課題】呼出信号の送信によって生じる通信リソースの浪費を抑制する。【解決手段】上位局は、移動局を呼び出すための呼出信号を下位局に送信する上位局３２であって、エリアを識別するエリア識別情報と、エリアに在圏する移動局３７と、エリアに存在する下位局３４、３６と、を対応付けて記録するエリア記録部と、移動局と、移動局との通信制限を有する下位局と、を対応付けて記録する制限記録部と、呼出信号を送信する下位局を決定する決定部と、呼出信号を送信する送信部と、を提供し、決定部は、呼出信号の宛先である移動局の在圏するエリアに存在する下位局に、宛先である移動局との通信制限を有する下位局が含まれるとき、呼出信号を送信する下位局を、通信制限を有する下位局に決定する。【選択図】図３
2013197701.tif 000002
【特許請求の範囲】
【請求項１】
移動局を呼び出すための呼出信号を下位局に送信する上位局において、
エリアを識別するエリア識別情報と、前記エリアに在圏する移動局と、前記エリアに存在する下位局と、を対応付けて記録するエリア記録部と、
移動局と、前記移動局との通信制限を有する下位局と、を対応付けて記録する制限記録部と、
呼出信号を送信する下位局を決定する決定部と、
呼出信号を送信する送信部と、
を有し、
前記決定部は、
前記呼出信号の宛先である移動局の在圏するエリアに存在する下位局に、前記宛先である移動局との通信制限を有する下位局が含まれるとき、前記呼出信号を送信する下位局を、前記通信制限を有する下位局に決定する、
ことを特徴とする上位局。
【請求項２】
前記決定部は、
前記呼出信号の宛先である移動局の在圏するエリアに存在する下位局に、前記宛先である移動局との通信制限を有する下位局が含まれないとき、前記エリアに存在する下位局のうち、前記通信制限を有する下位局以外の下位局に決定する、
ことを特徴とする請求項１記載の上位局。
【請求項３】
移動局と、前記移動局と通信する下位局と、を対応付けて記録する移動局と、
を更に有し、
前記決定部は、
前記呼出信号の宛先である移動局の在圏するエリアに存在する下位局に、前記宛先である移動局との通信制限を有する下位局が含まれ、更に、前記呼出信号の宛先である移動局と通信する下位局が対応付けられているとき、前記宛先である移動局と通信する下位局に、決定する、
ことを特徴とする請求項１又は２記載の上位局。
【請求項４】
下位局からデータを受信する受信部と、
を更に備え、
前記移動局記録部は、
前記下位局から、前記下位局と通信する移動局に関する情報を受信すると、前記受信した情報に基づいて、移動局と、前記移動局と通信する下位局と、を対応付けて記録する、
ことを特徴とする請求項３記載の上位局。
【請求項５】
移動局を呼び出すための呼出信号を、上位局から下位局に送信する通信システムにおいて、
エリアを識別するエリア識別情報と、前記エリアに在圏する移動局と、前記エリアに存在する下位局と、を対応付けて記録するエリア記録部と、移動局と、前記移動局との通信制限を有する下位局と、を対応付けて記録する制限記録部と、を有する上位局と、
前記上位局の配下に存在する下位局と、
を含み、
前記上位局は、
前記呼出信号の宛先である移動局の在圏するエリアに存在する下位局に、前記宛先である移動局との通信制限を有する下位局が含まれるとき、前記通信制限を有する下位局に、前記呼出信号を送信する、
ことを特徴とする通信システム。
【請求項６】
移動局を呼び出すための呼出信号を、上位局から下位局に送信する通信方法において、
エリアを識別するエリア識別情報と、前記エリアに在圏する移動局と、前記エリアに存在する下位局と、を対応付けて記録し、
移動局と、前記移動局との通信制限を有する下位局と、を対応付けて記録し、
前記呼出信号の宛先である移動局の在圏するエリアに存在する下位局に、前記宛先である移動局との通信制限を有する下位局が含まれるとき、前記通信制限を有する下位局に、前記呼出信号を送信する、
ことを特徴とする通信方法。
【請求項７】
通信制限を有する基地局である制限基地局と接続し、自局の配下に在圏する移動局と前記制限基地局の配下に在圏する移動局に対して、移動局を呼び出すための呼出信号を送信する基地局において、
移動局と、前記移動局との通信制限を有する前記制限基地局と、を対応付けて記録する制限記録部と、
呼出信号の送信先を決定する決定部と、
呼出信号を送信する送信部と、
を有し、
前記決定部は、
呼出信号の宛先である移動局が、前記制限基地局と対応付けられているとき、前記呼出信号の送信先を、前記対応付けられている制限基地局に決定する、
ことを特徴とする基地局。
【発明の詳細な説明】
【技術分野】
【０００１】
本件は、通信システム、通信方法、上位局、及び基地局に関する。
【背景技術】
【０００２】
移動通信において、移動局に着信やメールがあった場合に、対象の移動局に着信やメールがあることを通知する技術としてページング機能がある。
【０００３】
ページング機能とは、ネットワーク側から、対象エリアに対し、ページング信号(以降、呼出信号と称する)と呼ばれる移動局を呼び出すための信号を配信することで、対象移動局を探す技術である。呼出信号を受信した移動局は、自局宛の呼出信号である場合に、基地局を介してネットワーク側に応答することで、自局の場所を通知する。
【０００４】
E-UTRAN方式の移動通信システムは、基地局として、eNB(eNodeB)とHeNB(Home eNB)が定義される。HeNBは、通信事業者等によって、家庭や企業等に提供され、室内をカバーするための基地局である。例えば、ADSL(Asymmetric Digital Subscriber Line)のブロードバンドアクセス技術や光ファイバーを利用し、コアネットワークに接続する。
【０００５】
図１は、E-UTRANのネットワークアーキテクチャの例である。
【０００６】
HSS11(Home Subscriber Server)は、移動局の各種情報を管理する装置である。例えば、UE(User Equipment)の識別子、ユーザの加入サービス・プロファイル、位置登録に関する情報などを格納する。
【０００７】
MME (Mobility Management Entity) 12は、eNBの上位局である。TA Listの管理やHSS11とMME間でUE認証処理やUEの位置登録処理等を実行する。また、UEする呼出信号の制御を実行する。
【０００８】
HeNB GW (Home eNodeB Gateway) 13は、HeNBを集約し、モバイルネットワークに接続するゲートウェイである。
UE14は、移動局のことであり、HeNBやeNBを介して、ネットワーク側とデータを送受信する。
【０００９】
また、MMEとHeNB GWとの間、及びHeNB-GWとHeNBとの間はＳ１インタフェースが規定されている。
【００１０】
図２は、ページングエリアを示す図である。
【００１１】
ページングエリア(以下、呼出エリアと称する)とは、事前に通信事業者によって設計された領域、又は特定のVBGS(Voice Group Call Service) 及びVBS(Voice Broadcast Service)毎のエリアである。
【００１２】
例えば、LTEでは、ユーザの位置管理について、TA(Tracking Area) という概念を導入し、TAI(Tracking Area Identity)によって、UEの位置管理を行う。TAIは、すべてのセルに割り振られており、複数のセルに対して同じ値を割り当てることも可能である。
【００１３】
UEは、同一TA内に存在する間は、何度も位置登録をする必要はない。反対に、UEが異なるTAに移動した場合に、UEによって位置登録が行われる。
【００１４】
しかしながら、TA単位でUEの管理行なうと、UEが異なるTAに移動する度に位置登録の処理を行われる。これは、通信リソースの消費の増加につながる。
【００１５】
通信リソースの消費の増加を抑制するために、TA List(Tracking Area List)を用いてUEの管理行なうことが提案されている。TA Listは、複数のTAIをグループ化したものである。
【００１６】
UEは、同一のTA Listに含まれるTA内に在圏する場合は、位置登録の更新は行わず、異なるTA Listに含まれるTAに移動したときに、位置登録の更新を実行する。このように、TAI Listを位置登録エリアとして、UEを管理する。
【００１７】
位置登録と同様に、呼出信号の送信も、TA Listを用いて実行される。MMEは、UEが位置登録したエリアを、呼出エリアとして、該呼出エリアに存在するeNBに呼出信号を送信する。
【００１８】
図２では、UE29がHeNB28の配下に在圏している。
【００１９】
MME22は、UE29宛の呼出信号の送信先エリアを決定するために、HSS21から通知されているUE１の”TA List”を参照する。このとき、UE29の位置登録エリアとして、TA List(TAI#a〜TAI#e)が登録されているとする。
【００２０】
MMEは、同一位置登録エリア内に在圏するHeNB24、eNB25、HeNB GW23に呼出信号を送信する。HeNB GW23は、配下のHeNB 26〜HeNB28に、MME22から受信した呼出信号を送信する。
【００２１】
しかしながら、配下に、呼出信号の送信先UEが存在しないHeNB24、eNB25、HeNB27-28にとって、該呼出信号による通信リソースの消費は無駄となってしまう。
【００２２】
このような通信リソースを効率的に利用するために、HeNBを集約する装置に、HeNBに対する呼出信号の制御装置を接続することが提案されている(特許文献1参照)。
【先行技術文献】
【特許文献】
【００２３】
【特許文献１】特表2009-510972
【発明の概要】
【発明が解決しようとする課題】
【００２４】
上記のHeNBを集約する装置は、HeNB-GW23に相当する。ここで、図2に示す従来技術は、上述のように、MME22は、HeNB24、eNB25、HeNB GW23に呼出信号を送信する。MMEから呼出信号を受信したHeNB-GW23は、UE29が在圏するHeNB28のみに呼出信号を送信する。
【００２５】
しかしながら、MME22は、呼出エリア内のeNBすべてに呼出信号を送信するので、従来技術は、MME22と直接接続するeNB25やHeNB24は考慮されていない。
【００２６】
本件の目的の一つは、このような課題に鑑み創案されたもので、通信リソースを効率的に利用することである。
【００２７】
なお、前記目的に限らず、後述する発明を実施するための形態に示す各構成により導かれる作用効果であって従来の技術では得られない作用効果を奏することも、本件の他の目的として位置付けることができる。
【課題を解決するための手段】
【００２８】
上記課題を解決するため、本件開示の上位局は、移動局を呼び出すための呼出信号を下位局に送信する上位局であって、エリアを識別するエリア識別情報と、前記エリアに在圏する移動局と、前記エリアに存在する下位局と、を対応付けて記録するエリア記録部と、移動局と、前記移動局との通信制限を有する下位局と、を対応付けて記録する制限記録部と、呼出信号を送信する下位局を決定する決定部と、呼出信号を送信する送信部と、を提供し、前記決定部は、前記呼出信号の宛先である移動局の在圏するエリアに存在する下位局に、前記宛先である移動局との通信制限を有する下位局が含まれるとき、前記呼出信号を送信する下位局を、前記通信制限を有する下位局に決定する。
【００２９】
上記課題を解決するため、本件開示の通信システムは、移動局を呼び出すための呼出信号を、上位局から下位局に送信する通信システムであって、エリアを識別するエリア識別情報と、前記エリアに在圏する移動局と、前記エリアに存在する下位局と、を対応付けて記録するエリア記録部と、移動局と、前記移動局との通信制限を有する下位局と、を対応付けて記録する制限記録部と、を有する上位局と、前記上位局の配下に存在する下位局と、を提供し、前記上位局は、前記呼出信号の宛先である移動局の在圏するエリアに存在する下位局に、前記宛先である移動局との通信制限を有する下位局が含まれるとき、前記通信制限を有する下位局に、前記呼出信号を送信する。
【００３０】
上記課題を解決するため、本件開示の通信方法は、移動局を呼び出すための呼出信号を、上位局から下位局に送信する通信方法であって、エリアを識別するエリア識別情報と、前記エリアに在圏する移動局と、前記エリアに存在する下位局と、を対応付けて記録し、移動局と、前記移動局との通信制限を有する下位局と、を対応付けて記録し、前記呼出信号の宛先である移動局の在圏するエリアに存在する下位局に、前記宛先である移動局との通信制限を有する下位局が含まれるとき、前記通信制限を有する下位局に、前記呼出信号を送信する。
【００３１】
上記課題を解決するため、本件開示の基地局は、通信制限を有する基地局である制限基地局と接続し、自局の配下に在圏する移動局と前記制限基地局の配下に在圏する移動局に対して、移動局を呼び出すための呼出信号を送信する基地局であって、移動局と、前記移動局との通信制限を有する前記制限基地局と、を対応付けて記録する制限記録部と、呼出信号の送信先を決定する決定部と、呼出信号を送信する送信部と、を提供し、前記決定部は、呼出信号の宛先である移動局が、前記制限基地局と対応付けられているとき、前記呼出信号の送信先を、前記対応づけられている制限基地局に決定する。
【発明の効果】
【００３２】
本件開示の通信システム、通信方法、上位局、及び基地局によれば、通信リソースを効率的に活用することが出来る。
【図面の簡単な説明】
【００３３】
【図１】従来技術１の説明図
【図２】従来技術２の説明図
【図３】第１実施形態の概要図
【図４】第１実施形態に係る上位局のハードウェア構成図
【図５】第１実施形態に係る上位局の機能ブロック図
【図６】第１実施形態に係る上位局が有するテーブル１の対応表
【図７】第１実施形態に係る上位局が有するテーブル２の対応表
【図８】第１実施形態に係る上位局の処理１を示すフローチャート
【図９】第１実施形態に係る上位局の処理２を示すフローチャート
【図１０】第１実施形態に係る上位局の処理３を示すフローチャート
【図１１】第２実施形態に係る基地局のハードウェア構成図
【図１２】第２実施形態に係る基地局の機能ブロック図
【図１３】第２実施形態に係る基地局の処理１を示すフローチャート
【図１４】第２実施形態に係る基地局の処理２を示すフローチャート
【図１５】第３実施形態の概要図
【図１６】第３実施形態に係る基地局の機能ブロック図
【図１７】第３実施形態に係る基地局の処理１を示すフローチャート
【図１８】第３実施形態に係る基地局の処理２を示すフローチャート
【発明を実施するための形態】
【００３４】
以下、図面を参照して、開示の処理装置、処理方法及び処理プログラムに係る実施形態を説明する。以下の実施形態の図面に示す構成は一例であって、斯かる構成に本件発明が限定されるものではない。
【００３５】
＜第1実施形態＞
図3〜図10を用いて、第１実施形態を説明する。
【００３６】
図3は、第１実施形態の概要図である。
【００３７】
HSS(Home Subscriber Server)31は、ユーザ情報のデータベースである。各事業者は、HSS31に各UEの契約情報等を登録する。例えば、HSS31は、UEの識別子であるIMSI、MMEの識別子であるMME ID、CSG ID List、セキュリティーに関する情報、UEの位置情報等を記憶する。さらに、HSS31はそれらを用いて、UEの認証や位置登録を実施する。
【００３８】
MME32は、モビリティー管理を主に実行する上位局である。また、MME32は、位置登録されたUE毎の、IMSI、TA List、CSG ID等を記憶している。
【００３９】
HeNB GW33は、HeNBを集約し、モバイルネットワークとIP網を接続する装置である。また、HeNB GW33の設置は各事業者で任意に設置されるものである。
【００４０】
eNB(evolved Node B)34a、eNB 34b、eNB 35a、eNB 35b、eNB 36bは、基地局のことである。eNBは、MMEから呼出信号を受信すると、受信した呼出信号を報知する。
【００４１】
HeNB(Home eNB)36a、HeNB 36c、HeNB 36d、HeNB 36eは、IP網を利用することで、モバイルネットワークを接続する基地局である。また、HeNBに接続可能なUEは限られており、予め、事業者等によって、UEを登録する。
【００４２】
UE(User Equipment)37は、移動局である。HeNB又はeNBを介して、モバイルネットワークと接続する。
【００４３】
ここで、以下に記載する各用語について説明する。
【００４４】
eNB34a、eNB 34b、eNB 35a、eNB 35b、eNB 36b、HeNB36a、HeNB 36c、HeNB 36d、HeNB 36eそれぞれには、エリア識別情報であるTAIが割り当てられている。
【００４５】
TAIは、UEの位置を特定するために使用される識別子である。TAIは、MCC(Mobile Country Code)、MNC(Mobile Network Code)、及びTAC(Tracking Area Code)を含む。
また、それぞれのTA Listは、TA List#34に、TAI#A、TAI#Bが含まれ、 TA List#35にTAI#C、TAI#Dが含まれ、TA List#36に、TAI#E、TAI#F、TAI#G、TAI#H、TAI#Iが含まれる。TA Listは、TAIをグループ化したものである。UEに対する呼出信号の送信は、TA List単位で実行される。
【００４６】
MME32がUE37宛の呼出信号を送信するとき、HSS31からUE37の登録エリアを取得する。この登録エリアというのは、UE37が最後に位置登録を行ったエリアである。このとき、MME32は、UE37の登録エリアを管理しているとしても良い。
【００４７】
ここでは、HSS31は、UE37の登録エリアとして、TAI#Iを登録しているとする。
【００４８】
HSS31は、TAI#Iが含むTA ListであるTA List#36をMME32に通知する。MME32は、取得したTA List#36のうち、UEがHeNBに登録されていることが分かることによって、HeNBが存在するエリアに呼出信号を配信すれば良いことがわかる。その結果、MME32は、GW33とHeNB36aに対して、呼出信号を配信する。
【００４９】
以上のように、第１実施形態は、HeNBを含むエリアに、UEが位置登録している場合は、HeNBに対してのみ、呼出信号を送信する。これにより、呼出信号によって生じる通信リソースの浪費を防ぐことが出来る。通信リソースを効率的に活用することが出来る。
【００５０】
図４は、第１実施形態に係るMMEのハードウェア構成図である。
【００５１】
MME40は、SW41と、HSS IF42と、eNB IF43と、UE IF44と、memory45と、processor46と、を備える。
【００５２】
SW(Switch)41は、データの送信先を切り替える装置である。HSSに送信するデータはHSS IF42に入力し、eNBに送信するデータは、eNB IF43に入力し、UEに送信するデータは、UE IF44に入力する。
【００５３】
HSS IF(Home Subscriber Server Interface)42は、HSSとMMEが送受信するデータを仲介する。
【００５４】
eNB IF(evolved NodeB Interface)43は、eNBとMME40が送受信するデータを仲介する。
【００５５】
UE IF(User Equipment Interface)44は、UEとMME40が送受信するデータを仲介する。
【００５６】
しかしながら、UE IFの先にはeNBがあり、実際にはUEとMMEは、eNBを介して信号をデータの送受信を実行する。しかし、UE IFを介して受信する信号は、eNBにおいて、データ処理は実行されず、eNBは、UEに転送するのみである。
【００５７】
また、上記のSW41、HSS IF42、eNB IF43、UE IF44は、それぞれカードによってMMEに実装される。
【００５８】
memory45は、各種プログラムやデータを実行する。具体的に、memory45は、RAM(Random Access Memory)やROM(Read Only Memory)等がある。processor46は、memory45に格納されるプログラムを実行したり、各種制御を実行したりする。具体的には、CPUやDSP等がある。
【００５９】
図５は、第１実施形態に係るMMEの機能ブロック図である。
【００６０】
MME50は、送受信部51と、通信制御部52と、呼出信号制御部53と、エリア判定部54と、エリア記録部55と、UE判定部56と、UE記録部57の機能を実行する。これらの機能は、図4のハードウェアによって可能である。
【００６１】
例えば、S-GW IF42と、HSS IF42と、eNB IF43と、UE IF44によって、送受信部51の機能が実行され、SW41やprocessor46によって通信制御部52や呼出信号制御部53の機能が実行され、memory45によって、エリア記録部55やUE記録部57が実行される。
【００６２】
送受信部51は、通信制御部52及び呼出信号制御部53の制御に従って、eNB、HeNB、HeNB GW、HSS等と、信号の送受信を行う。通信制御部52は、各種通信を制御する。
【００６３】
呼出信号制御部53は、呼出信号の配信先等を決定し、決定した配信先にのみ呼出信号の配信を実行するように、送受信部51を制御する。
【００６４】
エリア判定部54は、呼出信号の配信エリアがHeNBを含むエリアであるか否かを判定する。この判定は、エリア記録部55を参照することによって実行される。
【００６５】
エリア記録部55は、エリア識別情報とHeNBやeNB等を対応付けて記録する。具体的には後述する。
【００６６】
UE判定部56は、呼出信号の送信先UEが、HeNBに登録されているか否かを判定する。この判定は、UE記録部57を参照することによって実行される。
【００６７】
UE記録部57は、HeNBとHeNBに登録されているUEを対応付けて記録する。具体的には後述する。
【００６８】
以上の機能を有するMME50は、呼出信号の配信エリアに、呼出信号の送信先UEが登録されているeNBが存在するか否かを判定することが出来る。
【００６９】
図６は、エリア識別情報とエリア内セルとの対応表の第１実施形態である。図6のような対応表がエリア記録部55によって記録されている。
【００７０】
ここでは、図３に示すネットワークにおいて記録される対応表として図６を説明する。また、対応表の第１実施形態は、エリア記録部55に記録される情報の一例である。
【００７１】
エリア識別情報は、TA Listである。上述したように、UEに対する呼出信号の配信は、TA List単位で実行される。例えば、TA List#34に対して配信する呼出信号は、TAI#A及びTAI#Bの２つのエリアに配信される。
【００７２】
エリア内セル情報はTAIである。上述したように、TAIは、UEの位置を特定するために使用される識別子である。
【００７３】
また、HeNBを集約するHeNB GWが存在する場合、エリア内セル情報には、情報HeNB GWと集約されているHeNB GWの対応関係もわかるように記録される方が望ましい。図6を参照すると、TAI#G、TAI#H、TAI#Iを示すセルは、HeNB GWに集約されていることがわかる。
【００７４】
図6に示したエリア識別情報とエリア内セルの対応表は、予めMMEで保持されているものである。
【００７５】
図7は、HeNB情報と登録UE情報の対応表である。図7のような対応表がUE記録部55によって記録されている。
【００７６】
ここでは、図３に示すネットワークにおいて記録される対応表として図7を説明する。また、図７の対応表は、UE記録部56に記録される情報の一例である。
【００７７】
HeNB情報は、HeNBに割り当てられているTAIが記録されている。つまり、登録UEのみ、アクセスを許可するような基地局のエリア情報が記録されている。
【００７８】
登録UE情報は、CSG ID List(Closed Subscriber Group Identity List)である。CSG IDは、HeNB毎に設けられ、HeNBにアクセス可能なUEが登録されている。つまり、CSG IDを所有するHeNBに対しては、CSG IDに登録されているUEのみがアクセス可能となる。
【００７９】
また、CSG IDは、HSSに格納されている。そして、MMEは、MME配下に存在するHeNBのCSG IDをHSSから通知され、記憶している。MMEは、HSSから通知されたCSG IDをCSG ID Listとして、図７ように記憶している。つまり、TAI#Gが示すエリアと対応付けられているHeNBは、UE71-73のみにアクセスを許可する。ここで、UE72-77は、図３には図示していない。
【００８０】
図８は、第１実施形態におけるMMEの処理を示すフローチャートである。図８は、MMEが呼出信号を配信するエリアにHeNBを含むか否かを判定する処理を示す。ここでは、既にUEとMME間にデフォルトのパスが確保されているものとする。
【００８１】
MMEは、MMEの上位局からDownlink Data Notificationを受信する。
【００８２】
MMEは、受信した信号から、IMSI(International Mobile Subscriber Identity)を読み出す(S81)。このDownlink Data Notificationには、EPS Bearer ID、IMSI等が含まれる。IMSIは、UE固有のIDである。ネットワークでは、電話番号とIMSIによってUEを特定する。MMEは、読み出したIMSIによって、呼出信号の送信先UEを特定する。
【００８３】
次に、呼出信号の送信先UEが最後に位置登録を行ったTA Listを、HSSから取得する。このとき、MMEがUEの位置登録エリアを管理している場合は、管理している情報から、UEが最後に位置登録を行ったTA Listを読み出す。
【００８４】
このとき、通常、MMEは、S-GWからDownlink Data Notificationを受信すると、呼出信号を、該当するTA Listに含まれるeNB全てに対して送信する。しかし、第１実施形態は、対応表(図6)から、読み出したTA Listと対応するエリア内セルを読み出す(S82)。このとき、対応するTA Listがわからないときは、処理を終了する(S82:NO)。
【００８５】
一方、MMEは、対応するTA Listがわかると(S82:YES)、対応表(図7)からHeNB情報を読み出す(S83)。HeNB情報は、HeNBが形成するセルのTAIが記録されている。ステップS82で取得したエリア内セルと、HeNB情報に、一致するTAIがあるか否かを調べる。ここで、比較結果を記録しても良い。例えば、同一のTAIがある場合は(S83:YES)、一致したTAIを記録する。そして、処理を終了する。
【００８６】
また、同一のTAIがない場合(S83:NO)、処理を終了する。ここで、同一のTAIがないことを記憶しても良い。
【００８７】
図8の処理において、一致するTAIがあるということは、該一致するTAIの示すエリアに呼出信号の送信先UEが在圏する可能性がある。
【００８８】
以上の処理によって、MMEは、HeNBの配下に呼出信号の送信先UEがいる可能性があるか否かを調べることが出来る。
【００８９】
図９は、第１実施形態におけるMMEの処理を示すフローチャートである。図９は、図８の処理結果を用いて、呼出信号の送信先UEがHeNBの登録UEであるかどうかを判定する処理を示す。ここでは、ステップS83(図8参照)の処理結果で一致するTAIを利用する(S83:YES)。なお、TAIが一致しない場合、以下で説明する処理は不要である。
【００９０】
MMEは、メモリ(図７)を参照し、ステップS83で一致したTAIと対応付けられて登録されているUEを読み出す(S91)。ここでは、図３に示すネットワークのように、TAI#I内にUE37が在圏可能であり、TAI#Iに対応付けられて登録されていることとする。
【００９１】
さらに、MMEは、受信したDownlink Data Notificationに含まれるIMSIを読み出す(S92)。IMSIによって、呼出信号の送信先であるUEを、特定することが出来る。そして、呼出信号の送信先UEが、ステップS91で読み出したUEと一致するか否かを調べる。
【００９２】
ここで、MMEは、ステップS92の処理結果を記憶しても良い。例えば、送信先UEと登録UEが一致する場合(S92:YES)、一致したUEを示す識別情報を記録する。送信先UEと登録UEが一致しない場合(S92:NO)、処理を終了する。
【００９３】
以上によると、呼出信号の送信先UEがHeNBに存在することを特定することが出来る。
【００９４】
図10は、第１実施形態におけるMMEの処理のフローチャートである。図10は、MMEが図8及び図9の処理結果を用いて、呼出信号の送信先を決定する処理を示す。
【００９５】
ステップS83で、一致するTAIが無い場合(S83:NO)、呼出信号を送信するエリアに、HeNBが含まれないことがわかる。このとき、MMEは、TA Listに含まれるTAIのうち、HeNBに対して、呼出信号を送信しなくても良い。よって、MMEは、HeNB情報に記憶される TAIに呼出信号を送信しないことを決定する(S101:HeNB以外)。
【００９６】
その結果、ステップS103に進み、TA Listに含まれるTAIのうち、HeNB情報に含まれるTAI 以外のeNBに、呼出信号を送信する(S103)。ここで、HeNB情報に含まれる全てのTAIに送信しないのではなく、HeNB GW以外の基地局に呼出信号を送信することとしてもよい。
【００９７】
ステップS92で、登録UEと呼出信号の送信先UEが一致しない場合(S92:NO)、呼出信号の送信先UEは特定基地局の配下に在圏しないことがわかる。よって、MMEは、TA Listに含まれるTAIのうち、HeNB情報に含まれるTAIに対して、呼出信号を送信しなくても良い。MMEは、HeNB情報に含まれるTAIに呼出信号を送信しないことを決定する(S101:HeNB以外)。
【００９８】
その結果、ステップS103に進み、TA Listに含まれるTAIのうち、HeNB情報に含まれるTAI 以外のeNBに、呼出信号を送信する(S103)。ここで、HeNB情報に含まれる全てのTAIに送信しないのではなく、HeNB GW以外の基地局に呼出信号を送信することとしてもよい。
【００９９】
ステップS92で、登録UEと呼出信号の送信先UEが一致する場合(S92:YES)、MMEが呼出信号の送信先UEはHeNBの配下に在圏可能であることがわかる。
【０１００】
このとき、MMEは、TA Listに含まれるTAIのうち、HeNBに対して、呼出信号を送信すれば良いことがわかる。よって、MMEは、UEが登録されているTAIに呼出信号を送信することを決定する(S101:HeNB)。
【０１０１】
その結果、TA Listに含まれるTAIのうち、HeNB情報に含まれるTAI全てに呼出信号を送信する(S102)。ここでは、HeNB情報に含まれるTAI全てに呼出信号を送信することとしたが、呼出信号の送信先UEが登録されているTAIのみに呼出信号を送信しても良い。これにより、更なる通信リソースの浪費の軽減が可能となる。
【０１０２】
しかしながら、HeNBの配下に在圏可能なUEであっても、HeNB配下に存在しない可能性がある。よって、ステップS102において、MMEは、送信した呼出信号に対し、UEから応答信号を受信しない場合、呼出信号の送信先UEがHeNB配下に在圏しないと判断する。
【０１０３】
つまり、MMEは、送信した呼出信号に対する応答信号を受信しない場合(S102:なし)、TA Listの呼出信号送信対象のうち、HeNB 以外のeNBに、呼出信号を送信する(S103)。
また、MMEは、送信した呼出信号に対する応答信号を受信した場合(S103:あり)、呼出信号送信処理を終了する。
【０１０４】
以上の処理によって、MMEが送信する呼出信号の送信先の対象TAIを減らすことが出来る。呼出信号による通信リソースの浪費を軽減することが出来る。
【０１０５】
第１実施形態によると、HeNBを含むエリアに呼出信号を配信するとき、呼出信号の宛先がHeNBと通信可能な場合のみ、HeNBを呼出信号の配信対象とする。よって、MMEと基地局間の通信リソースの浪費を軽減することが出来る。さらに、UEと基地局間の通信リソースの浪費を軽減することも出来る。
【０１０６】
＜第2実施形態＞
第１実施形態では、UE記録部において、CSG IDを用いた。第２実施形態では、HeNBが配下に存在するUEをMMEに通知することによって、実際にHeNB配下に存在するUEを特定する。そして、呼出信号の送信先のUEがHeNB配下に存在する場合のみ、MMEは、HeNBに対して呼出信号を送信するので、更なる効果が望まれる。
【０１０７】
図11〜図14を用いて、第2実施形態の説明をする。
【０１０８】
図11は、第2実施形態におけるHeNBのハードウェア構成図である。図11を用いて、HeNBのハードウェア構成について説明する。
【０１０９】
HeNB110は、ANT(Antenna)111と、DUP(Duplexer)112と、PA(Power Amplifier)113aと、LNA(Low Noise Amplifier)113bと、IQ Modulator114aと、IQ Demodulator114bと、DAC(Digital to Analog Converter)115aと、ADC(Analog to Digital Converter)115bと、DSP(Digital Signal Processor)116と、Ethernet Interface117と、Processor118と、Memory119と、を備える。
【０１１０】
ANT111は、DUP112から出力される無線信号を、電波を媒体として、UEに発信し、また、電波を媒体としてUEから送信される信号を受信し、受信した無線信号を、DUP112に出力する。
【０１１１】
DUP112は、送受信のアンテナを１本で共有するためのものであり、送信経路と受信経路を電気的に分離する。PA113aから入力された信号をANT111に出力し、ANT111から入力された信号をLNA113bに出力する。
【０１１２】
PA113aは、増幅器であり、送信側に設けられる。IQ modulator114bから入力された信号を増幅し、DUP112に出力する。
【０１１３】
LNA113bは、雑音の発生が少ない増幅器であり、受信側に設けられる。DUP112から入力された信号を増幅し、IQ Demodulator114bに入力する。
【０１１４】
IQ Modulator114aは、RF信号を直接変調可能なIQ変調器である。DAC115aから入力された信号をIQ変調し、PA113aに出力する。
【０１１５】
IQ Demodulator114bは、RF信号を直接復調可能なIQ復調器である。LNA113bから入力された信号をIQ変調し、IQ Demodulator114bに出力する。
【０１１６】
DAC115aは、デジタル−アナログ変換器のことで、DSP116から入力された信号を、アナログ信号に変換し、出力する。
【０１１７】
ADC115bは、アナログ−デジタル変換器のことで、IQ Demodulator114bから入力された信号(アナログ信号)をデジタル信号に変換してDSP116に出力する。
【０１１８】
DSP116は、デジタル信号処理に特化したプロセッサである。各種信号処理を施した信号をDAC115aに入力する。信号処理とは、フレーム同期、符号化等がある。DSP116は、ADC115bから入力されたデジタル信号の各種信号処理を実行する。信号処理とは、フレーム同期、復号化等がある。また、アドレスを格納するためのメモリも含む。ここでは、DSPを用いることとしたが、他にもFPGA等を用いても良い。
【０１１９】
Ethernet Interface117は、Ethernetとの接続機能を実現するものであり、例えば、LANポート等がある。
【０１２０】
Processor118は、例えば、CPU(Central Processing Unit)である。各種機能部の制御を行う構成の一例であって、アプリケーションプログラム等を実行することにより、各種機能部の制御やメモリへのデータの読込み・書込み等を行う。
【０１２１】
Memory119は、各種プログラム等が記憶される。Processor118の制御に従って、データの書き込みや読み出しを実行する。
【０１２２】
上記のハードウェアは、一例であってこれに限定されるものではない。
【０１２３】
図12は、HeNBの第2実施形態における機能ブロック図である。
【０１２４】
HeNB120は、RF(Radio Frequency)部121と、BB(Base Band)部122と、UE情報取得部123と、通信制御部124と、記憶部125と、IF(Interface)部126との機能を備える。
【０１２５】
また、各機能部は、図11のハードウェアによって実行される。
【０１２６】
RF部121は、ANT111と、DUP112と、PA113aと、LNA113bと、Modulator114aと、Demodulator114bによって実現される。BB部122は、DAC115aと、ADC115bによって実現される。UE情報取得部123と通信制御部124は、DSP116と、Processor118によって実現される。記憶部125は、Memory119によって実現される。IF部126は、Ethernet Interface117によって実現される。
【０１２７】
RF部121は、高周波信号の処理をする機能を有する。具体的には、変調後、復調前の信号に対する処理を示す。
【０１２８】
BB部122は、基底帯域信号の処理をする機能を有する。具体的には、変調前、復調後の信号に対する処理を示す。
【０１２９】
UE情報取得部123は、UEに関する情報をデータ信号から抽出し、抽出したUEに関する情報を、通信制御部124に供給する。UEに関する情報とは、例えば、IMSIである。
【０１３０】
通信制御部124は、予め設定された通信方式に従って通信を実行するように制御する機能を有する。さらに、第２実施形態では、UE情報取得部123の機能によって取得したUEに関する情報を用いて、MMEに通知する情報を決定し、通知するように制御する機能を有する。
【０１３１】
記憶部125は、HeNBに関する情報を記憶する。例えば、HeNBに登録されるUEの情報を記憶する。また、UE情報取得部123が取得したUEに関する情報を取得しても良い。
IF部126は、Ethernetとの接続処理を実行する機能を有する。通信制御部124によって、決定した情報をMMEに通知する機能を有する。
【０１３２】
図13は、第２実施形態におけるHeNBの処理を示すフローチャートである。図13は、HeNBがUEからUEを示す識別情報(以下、UE情報と称する)を取得する処理を示す。
【０１３３】
HeNBは、定期的にUE情報を取得する。UE情報を取得する周期は、当業者によって、予め定めても良い。また、具体的にUE情報とは、IMSIで良いし、他にも、UEを特定可能な情報ならばIMSIに限らない。
【０１３４】
HeNBは、一定時間の間に無線信号を受信する(S131:YES)。
【０１３５】
受信した無線信号からUE情報を抽出可能である場合(S132:YES)、UE情報を抽出する(S133)。UE情報は、受信した無線信号をデジタル変換し、変換したデータ信号を解析することによって抽出可能である。
【０１３６】
設定された時間内にUEから無線信号を受信しない場合(S131:NO)、ステップS133に進む。例えば、これは、HeNBがタイマーを備えることによって判定しても良い。
【０１３７】
HeNBは、UE情報を要求するために、UEが応答するような報知信号を送信する(S133)。例えば、報知信号は、Measurement Reportを要求する信号等が考えられる。Measurement Reportを要求する信号を受信したUEはUEの識別子であるIMSIを含む情報を応答する。HeNBは、電波を媒体として、このMeasurement Reportを受信する(S131)。このように、HeNBは、ステップS132以降の処理を進めることが可能となる。
【０１３８】
ここでは例としてMeasurement Reportを要求することとしたが、UEの識別情報が付与されている信号が応答されるならば、Measurement Reportに限らない。
【０１３９】
また、ステップS132において、受信した無線信号からUE情報が抽出出来ない場合(S132:NO)、ステップS131に戻る。
【０１４０】
HeNBは、ステップS132において、受信した無線信号からUE情報を抽出すると(S132:YES)、HeNBのTAIと共に、MMEに通知し、処理を終了する。
【０１４１】
図14は、第2実施形態におけるMMEの処理を示すフローチャートである。図14は、MMEがHeNBから、HeNB配下に在圏するUEの情報を受信し、記憶する処理を示す。
【０１４２】
MMEは、HeNBからデータ信号を受信する。
【０１４３】
MMEは、HeNBからデータ信号を受信すると、データ信号の種別を確認する(S141)。ここでは、HeNBがUE在圏情報をMMEに送信するときは、UE在圏情報であることを示すFlagを付与するとする。しかしながら、在圏情報に限らず、後述するように、TAIとUE識別子が対応付けられているデータ信号ならば、そのデータ信号を利用しても良い。
【０１４４】
MMEは、UE在圏情報であることを確認すると(S141:YES)、データ信号から、TAIを抽出する(S142)。
【０１４５】
MMEは、TAIを抽出すると、メモリを参照し(S143)、抽出したTAIがメモリに記憶されているかを判定する。
【０１４６】
MMEは、TAIにメモリが記憶されていない場合(S143:NO)は、抽出したTAIをメモリに記憶する(S144)。また、メモリに記憶されている場合(S143:YES)は、ステップS144は省略する。
【０１４７】
次に、MMEは、受信したデータ信号からUE識別子を抽出する(S145)。UE識別子を抽出すると、MMEは、メモリを参照する(S146)。MMEは、メモリを参照することで、ステップS142において、抽出したTAIに対応するUE情報に、ステップS145で抽出したUE識別子があるか否かを判定する。
【０１４８】
ステップS146において、対応するUE識別子が無い場合(S146:NO)、TAIと対応付けてUE識別子をメモリに記憶する(S147)。このとき、抽出したTAI以外のTAIとUE識別子が対応付けられて記憶されている場合(S146:YES)、抽出したTAIとUEを対応付けて記憶し、抽出したTAI以外のTAIと対応づけられているUE識別子は削除することとしてよい。
【０１４９】
メモリにTAIとUE識別子を対応付けて記憶すると、処理を終了する。
【０１５０】
また、ステップS141において、データ種別が在圏UE情報でない場合は、HeNBの配下に在圏するUEを取得する処理は実行せずに終了する。ステップS141の処理は、MMEがHeNBから受信する信号は、在圏UEを通知するための信号に限らないので、実行する必要がある。
【０１５１】
ステップS146において、対応するUE識別子がある場合は、処理を終了する。
【０１５２】
以上によって、MMEは、HeNBの配下に在圏するUEを、HeNBと対応付けて記憶することが出来る。
【０１５３】
このとき、ステップS148を繰り返すことによって、図7に示す対応表と同様のテーブルを取得することが出来る。図7における登録UE情報が、第２実施形態においては、在圏UE情報となる。
【０１５４】
よって、MMEは、CSG IDを使用しなくても、HeNB情報と在圏UE情報を対応付けることが出来るので、図８〜図９に示した呼出信号配信処理を実行することが出来る。
【０１５５】
第２実施形態によると、HeNBにUEが在圏する場合のみ、該UEに対する呼出信号をHeNBに送信するので、更なる通信リソースの浪費を軽減することが出来る。また、CSG IDを用いないので、CSG IDが適用されないHeNBに対しても、効果を期待できる。
【０１５６】
＜第3実施形態＞
第3実施形態は、HeNBを擬似UEとして、eNBに登録する。そして、eNBが、HeNBを介して、呼出信号を送信先UEに送信する。
【０１５７】
図15〜図18を用いて、第3実施形態の説明をする。
【０１５８】
図15は、第3実施形態の概要である。
【０１５９】
HeNB156及びHeNB157は、HeNB GW155を介して、eNB154に登録している。
【０１６０】
eNB154は、HeNB156及び157をeNB154の識別情報等をメモリに格納し、HeNB156及び157配下に在圏するUEと対応付けている。
【０１６１】
例えば、図15を参照すると、HeNB156配下にはUE158が在圏している。UE156がHeNB156に対して位置登録信号を送信すると、HeNB156はHeNB156の識別子と対応付けて、HeNB GW155を介してeNB154に送信する。
【０１６２】
eNB154は、HeNB156とUE158を対応付けて記憶し、MME152に対してUE158の位置登録信号を送信する。MME152は、HSS151に対してUE158の認証を要求し、認証を終了後、UE158の位置登録を実行する。
【０１６３】
ネットワーク側からUE158宛の呼出信号を受信したMME152は、UE158宛の呼出信号をUE158が在圏するエリアに配信する。ここでは、eNB153及びeNB154のTAIは、同一のTA Listに属するとする。
【０１６４】
よって、MME152は、eNB153及びeNB154に呼出信号を送信する。eNB154において、記憶した擬似UE(HeNB156及びHeNB157)とUE158の対応関係を参照することで、HeNB156宛に呼出信号を送信する。以上のように、HeNB156のみに呼出信号が送信される。
【０１６５】
eNBのハードウェア構成は、図11に示したHeNB110のハードウェア構成と同一である。
つまり、eNBは、ANT(Antenna)111と、DUP(Duplexer)112と、PA(Power Amplifier)113aと、LNA(Low Noise Amplifier)113bと、IQ Modulator114aと、IQ Demodulator114bと、DAC(Digital to Analog Converter)115aと、ADC(Analog to Digital Converter)115bと、DSP(Digital Signal Processor)116と、Processor118と、Memory119を有する。しかし、eNBは、Ethernet Interface117の代わりに、S1 Interfaceを備える。S1 Interfaceは、MMEと信号の送受信を行う。
【０１６６】
図16は、第3実施形態のHeNBにおける機能ブロック図である。
【０１６７】
HeNB120は、RF(Radio Frequency)部161と、BB(Base Band)部162と、通信情報取得部163と、通信制御部164と、記憶部165と、IF(Interface)部166との機能を備える。
【０１６８】
また、各機能部は、図11のハードウェアによって実行される。
【０１６９】
RF部161は、ANT111と、DUP112と、PA113aと、LNA113bと、Modulator114aと、Demodulator114bによって実現される。
【０１７０】
BB部162は、DAC115aと、ADC115bによって実現される。通信情報取得部163と通信制御部164は、DSP116と、Processor118によって実現される。記憶部165は、Memory119によって実現される。
【０１７１】
上述したように、IF部166は、S1 Interfaceによって実現される。
【０１７２】
RF部161は、高周波信号の処理をする機能を有する。具体的には、変調後、復調前の信号に対する処理を示す。BB部162は、基底帯域信号の処理をする機能を有する。具体的には、変調前、復調後の信号に対する処理を示す。
【０１７３】
通信情報取得部163は、UEに関する情報をデータ信号から抽出し、抽出したUEに関する情報を、記憶部165に供給する。UEに関する情報とは、例えば、IMSIである。ここで、UE情報は、該UEと通信しているHeNBから取得する。つまり、UE情報と、該UE情報の送信元とを対応づけて取得し、記憶部165に供給する。
【０１７４】
通信制御部164は、予め設定された通信方式に従って通信を実行するように制御する機能を有する。さらに、第3実施形態では、UE情報取得部163の機能によって取得したUE情報と、該UE情報と対応付けられるHeNBを用いて、MMEから受信する呼出信号の送信先を決定する機能を有する。
【０１７５】
記憶部165は、HeNBとUEに関する情報を記憶する。詳細は後述する。
【０１７６】
IF部166は、MMEとの接続処理を実行する機能を有する。
【０１７７】
図17は、HeNB情報とUE情報の対応表である。図17のような対応表が記録部165によって記録されている。
【０１７８】
ここでは、図15に示すネットワークにおいて記録される対応表として図17を説明する。また、図1７の対応表は、記録部165に記録される情報の一例である。
【０１７９】
HeNB情報は、eNBを介して信号を受信するHeNBが記憶されている。さらに、HeNBそれぞれにTAIを割り当て、対応付けて記憶する。
【０１８０】
UE情報は、CSG ID List(Closed Subscriber Group Identity List)でも良いし、HeNBから受信する信号を用いて、UE情報を抽出しても良い。
【０１８１】
このように、eNBは、HeNBを配下に在圏させ、HeNB情報とUE情報とを対応付けて記憶している。
【０１８２】
図18は、第3実施形態におけるeNBの処理を示すフローチャートである。図20は、eNBがHeNBから、HeNB配下に在圏するUEの情報を受信し、記憶する処理を示す。
【０１８３】
eNBは、HeNBを介して、UEから位置登録信号を受信する。eNBは、HeNBから信号を受信すると、データ信号の種別を確認する(S181)。ここでは、eNBがUE情報を取得するために受信する信号を、位置登録信号として例を示すが、これに限らない。後述するように、HeNB情報とUE情報が対応付けることが可能な信号ならば、その信号を利用しても良い。
【０１８４】
eNBは、位置登録信号であることを確認すると(S181:YES)、信号から、TAIを抽出する(S182)。これは、HeNBそれぞれのセルに対して割り当てられているTAIである。また、HeNBを識別する識別子をHeNB特有のIDであるHeNB IDで管理しても良い。
【０１８５】
eNBは、TAIを抽出すると、メモリを参照し(S183)、抽出したTAIがメモリに記憶されているかを判定する。具体的には、図17に示した対応表を参照し、TAIを探索する。
【０１８６】
eNBは、TAIがメモリに記憶されていない場合は(S183:NO)、抽出したTAIを、受信した信号の送信元と対応付けてメモリに記憶する(S184)。また、メモリに記憶されている場合は(S183:YES)、ステップS184は省略する。
【０１８７】
次に、eNBは、受信した信号からUE情報を抽出する(S185)。UE情報を抽出すると、eNBは、メモリを参照する(ステップS186)。eNBは、メモリを参照することで、ステップS142において、抽出したTAIに対応するUE情報が、ステップS145で抽出したUE識別子があるか否かを判定する。
【０１８８】
ステップS186において、対応するUE識別子が無い場合(S186:NO)、TAIと対応付けてUE識別子をメモリに記憶する(S187)。このとき、抽出したTAI以外のTAIとUE識別子が対応付けられて記憶されている場合(S186:NO)、抽出したTAIとUEを対応付けて記憶し、抽出したTAI以外のTAIと対応づけられているUE識別子は削除することとしてよい。
【０１８９】
メモリにTAIとUE識別子を対応付けて記憶すると、処理を終了する。
【０１９０】
また、ステップS181において、データ種別が位置登録信号でない場合は(S181:NO)、HeNBの配下に在圏するUEを取得する処理は実行せずに終了する。ステップS141の処理は、MMEがHeNBから受信する信号は、在圏UEを通知するための信号に限らないので、実行する必要がある。
【０１９１】
ステップS186において、対応するUE識別子がある場合(S186:YES)は、処理を終了する。
【０１９２】
以上によって、MMEは、HeNBの配下に在圏するUEを、HeNBと対応付けて記憶することが出来る。
【０１９３】
以上の第3実施形態では、eNB配下に在圏するHeNBに対しても、ページングによる通信リソースの浪費を防ぐことが出来る。
【０１９４】
上述の実施形態では、LTEの通信方式を例にとり、説明したが、これらに限定されるものではなく、W-CDMA等の通信方式を用いても良い。そのとき、上述のTAにあたる位置登録エリアは、LA(Location Area)となる。
【０１９５】
また、上記の実施形態は一例に過ぎず、本件が上記の実施形態に限定されるものではない。
【符号の説明】
【０１９６】
11, 21, 31, 151  HSS
12, 22, 32, 40, 50, 152  MME
13, 23, 33, 155  HeNB GW
14, 16-18, 24, 26-27, 36a, 36c-36e, 110, 120, 156, 157  HeNB
15, 25, 34a-34b, 36b, 153, 154, 160  eNB
19, 29, 37, 158  UE
41  SW
42  HSS IF
43  eNB IF
44  UE IF
45, 119  memory
46, 118  processor
51  送受信部
52  通信制御部
53  呼出信号制御部
54  エリア判定部
55  エリア記録部
56  UE判定部
57  UE記録部
111  ANT
112  DUP
113a  PA
113b  LNA
114a  I/Q Modulator
114b  I/Q Demodulator
115a  DAC
115b  ADC
116  DSP
117  Ethernet Interface
121  RF部
122  BB部
123  UE情報取得部
124  通信制御部
125  記憶部
126  IF部
161  RF部
162  BB部
163  通信情報取得部
164  通信制御部
165  記憶部
166  IF部
【図１】
2013197701.tif 000003
【図２】
2013197701.tif 000004
【図３】
2013197701.tif 000005
【図４】
2013197701.tif 000006
【図５】
2013197701.tif 000007
【図６】
2013197701.tif 000008
【図７】
2013197701.tif 000009
【図８】
2013197701.tif 000010
【図９】
2013197701.tif 000011
【図１０】
2013197701.tif 000012
【図１１】
2013197701.tif 000013
【図１２】
2013197701.tif 000014
【図１３】
2013197701.tif 000015
【図１４】
2013197701.tif 000016
【図１５】
2013197701.tif 000017
【図１６】
2013197701.tif 000018
【図１７】
2013197701.tif 000019
【図１８】
2013197701.tif 000020